(57)【要約】【課題】複数のタイマ回路の障害を検出するタイマ回路の障害監視装置を提供する。【解決手段】複数のタイマ回路のうち割り当てが行われたタイマ回路を特定するタイマＩＤを保持する起動テーブルと、起動テーブルに保持されてから所定の時間以上が経過したタイマＩＤを起動テーブルから抽出する抽出手段と、抽出手段によって抽出されたタイマＩＤを保持するチェックテーブルと、外部タイマユニットからタイムアウトが通知されたタイマＩＤを起動テーブルおよびチェックテーブルから消去する消去手段と、所定の時間間隔でチェックテーブルを参照し、チェックテーブルにタイマＩＤが保持されているタイマ回路を障害が発生しているタイマ回路として検出する検出手段とを備える。【選択図】      図１
2008191803.tif 000002
【特許請求の範囲】
【請求項１】
上位装置からの要求に応じて、独立に動作する複数のタイマ回路の中から少なくとも一つを割り当てて動作させる際の、タイマ回路の障害監視装置において、
前記複数のタイマ回路のうち前記割り当てが行われたタイマ回路を特定するタイマＩＤを保持する起動テーブルと、
所定の時間ごとに、前記起動テーブルに保持されているタイマＩＤを起動テーブルから抽出する抽出手段と、
前記抽出手段によって抽出されたタイマＩＤを保持するチェックテーブルと、
前記外部タイマユニットからタイムアウトが通知されたタイマＩＤを前記起動テーブルおよび前記チェックテーブルから消去する消去手段と、
所定の時間間隔で前記チェックテーブルを参照し、前記チェックテーブルにタイマＩＤが保持されているタイマ回路を障害が発生しているタイマ回路として検出する検出手段と
を備えたことを特徴とするタイマ回路の障害監視装置。
【請求項２】
請求項１に記載のタイマ回路の障害監視装置において、
前記起動テーブルは、前記タイマ回路に設定される時間の長さの範囲について適切に設けた複数の区分に対応して形成され、起動の際にタイマ回路に設定された時間が対応する区分に属するタイマ回路についてタイマＩＤを保持する起動グループテーブルを備え、
前記チェックテーブルは、前記複数の区分にそれぞれ対応するグループチェックテーブルを備え、
前記抽出手段は、
前記起動テーブルに備えられた複数の起動グループテーブルのいずれかを指定した複写指示に応じて、指定された起動グループテーブルに保持されているタイマＩＤを対応するグループチェックテーブルに複写する複写手段と、
前記複数の区分それぞれに対応する時間間隔で、前記各起動グループテーブルを指定する複写指示を生成して前記複写手段に入力する複写制御手段とを備え、
前記検出手段は、前記複数の起動グループテーブルそれぞれに対する参照を、対応する区分に応じて適切な時間間隔に制御する参照制御手段を備えた
ことを特徴とするタイマ回路の障害監視装置。
【請求項３】
所定時間を周期とした時間の経過を順次検出可能な基準タイマと、
該所定時間内の時間の経過を異なるタイミングから計時可能な複数の計時タイマと、
前記複数の計時タイマのうち、計時を開始した計時タイマを特定可能な情報を記憶する記憶部と、
該記憶後、前記基準タイマにより２回目の前記検出が行われる前に、該計時を開始した計時タイマがタイムアウトしないことを検出する検出部と、
を備えたことを特徴とする計時タイマの故障検出装置。
【発明の詳細な説明】
【技術分野】
【０００１】
本発明は、情報処理装置を構成する各ユニットからの要求それぞれに応じて多数の計時動作を並行して行い、指定された時間が経過したことを要求元のユニットにそれぞれ通知する機能を備えた外部タイマユニットに備えられた複数のタイマ回路の障害を検出するタイマ回路の障害監視装置に関する。
【背景技術】
【０００２】
例えば、基地局管理装置のような通信制御装置では、管理下にある数千のコネクションについて独立に様々な長さの時間的な契機を管理する必要があるため、多数の時間的な契機を個々に管理可能な外部タイマユニットを備えて構成されている。
図４に示すように、外部タイマユニット４１０は、水晶発振素子などの基準クロック生成部４１１とこの基準クロック生成部４１１によって生成されたクロック信号に基づく計時動作を行うｎ個のタイマ回路４１２１〜４１２ｎとこれらのタイマ回路４１２を管理するタイマ管理部４１３とを備えている(特許文献１参照)。
【０００３】
図４に示したタイマ管理部４１３は、通信制御装置などの上位装置に備えられたＣＰＵ４０２からの要求に応じて、ｎ個のタイマ回路４１２１〜４１２ｎのいずれかを割り当ててそのタイマ回路４１２を特定するタイマＩＤをＣＰＵ４０２に通知し、ＣＰＵ４０２からの要求で指定された時間を割り当てたタイマ回路４１２に設定するとともに、このタイマ回路４１２の計時動作を起動する。また、各タイマ回路４１２からのタイムアウト信号に応じて、タイマ管理部４１３により、対応するタイマＩＤについてのタイムアウト信号が要求元のＣＰＵ４０２に通知される。
【０００４】
このようにして、外部タイマユニットを備えた通信制御装置では、水晶発振素子を用いて生成される精度の高いクロック信号に基づく正確な時間的な契機を多数の処理についてそれぞれ独立に得ることができる。
更に、外部タイマユニットを備えた場合には、ＣＰＵ４０２がこれらの多数の時間的な契機を得るための処理、すなわち、ソフトタイマ処理が不要となるので、ＣＰＵ４０２の処理負担を軽減することができる。
【０００５】
上述した外部タイマユニットでは、個々のタイマＩＤで示されるタイマ回路４１２がそれぞれ独立に動作するので、例えば、ｉ番目のタイマ回路４１２ｉの内部に備えられたカウンタや設定値を受け付けるレジスタなどに異常があっても、他のタイマ回路４１２は正常に動作する場合もある。
従来は、外部タイマユニットに備えられた多数のタイマ回路の一部に障害が発生した場合に備えて、例えば、１つの時間的な契機を得るために、２つのタイマ回路４１２を割り当ててタイマを二重化したり、ＣＰＵ４０２によって提供されるソフトタイマを併用したりして、通信制御装置などの上位装置に関する運用の継続を図っていた。
【特許文献１】特開平４−１５１５９１号公報
【発明の開示】
【発明が解決しようとする課題】
【０００６】
上述した従来の外部タイマユニットの障害は、障害が発生したタイマ回路４１２からのタイムアウト通知に応じて上位装置のＣＰＵ４０２によって開始されるはずの処理が開始されないなどのシステム上の問題が生じて初めて検出される。
このような障害は、上述したようにしてタイマを二重化した場合には、一方のタイマ回路４１２に障害があっても他方のタイマ回路４１２からのタイムアウト通知によって処理が継続されるため、上位装置の運用停止に至らない場合もある。
【０００７】
しかしながら、外部タイマユニット内の障害自体は見過ごされてしまうために、例えば、タイマの二重化のために割り当てられた２つのタイマ回路４１２の双方に障害があった場合などには、結局は上位装置の運用停止を引き起こしてしまう。
また、上述したようなタイマの二重化は、外部タイマユニットで独立して扱えるタイマＩＤの数を半減させてしまうので、外部タイマユニットの機能を十分に発揮させることができなくなってしまう。
【０００８】
同様に、外部タイマユニットとＣＰＵによるソフトタイマを併用する手法では、ソフトタイマの数が増大するにつれて、ＣＰＵの負担が大きくなり、タイマ通知にかかわる時間の精度が低下してしまうので、外部タイマユニットを導入した意義も薄れてしまう。
これらのことから、外部タイマユニットを備えたシステムにおいて外部タイマユニットの障害自体を積極的に検出する技術が必要とされていることは明らかである。
【０００９】
本発明は、外部タイマユニットに備えられた複数のタイマ回路の障害を検出するタイマ回路の障害監視装置を提供することを目的とする。
【課題を解決するための手段】
【００１０】
本発明にかかわる第１のタイマ回路の障害監視装置は、起動テーブルと、抽出手段と、チェックテーブルと、消去手段と、検出手段とから構成される。
本発明にかかわる第１のタイマ回路の障害監視装置の原理は、以下の通りである。
上位装置からの要求に応じて、独立に動作する複数のタイマ回路の中から少なくとも一つを割り当てて動作させる際の、タイマ回路の障害監視装置において、起動テーブルは、複数のタイマ回路のうち前記割り当てが行われたタイマ回路を特定するタイマＩＤを保持する。抽出手段は、所定の時間ごとに、起動テーブルに保持されているタイマＩＤを起動テーブルから抽出する。チェックテーブルは、抽出手段によって抽出されたタイマＩＤを保持する。消去手段は、外部タイマユニットからタイムアウトが通知されたタイマＩＤを起動テーブルおよびチェックテーブルから消去する。検出手段は、所定の時間間隔でチェックテーブルを参照し、チェックテーブルにタイマＩＤが保持されているタイマ回路を障害が発生しているタイマ回路として検出する。
【００１１】
このように構成された第１のタイマ回路の障害監視装置の動作は、下記の通りである。
上位装置からの要求に応じて割り当てられたタイマ回路を示すタイマＩＤは、起動テーブルに格納された後、所定の時間ごとに繰り返される抽出手段による抽出タイミングの到来までに消去手段によって消去されていなければ、抽出手段によって抽出されてチェックテーブルに保持される。その後、更に所定の時間が経過したときに、このタイマＩＤが消去手段によって消去されずにチェックテーブルに残っている場合に、検出手段により、このタイマＩＤで示されるタイマ回路についての障害が検出される。
【００１２】
上述した所定の時間として適切な時間を設定すれば、検出手段がチェックテーブルを参照した際に、このタイマ回路が起動されてから十分な時間が経過してもタイムアウト信号を通知していないタイマ回路、即ち、障害が発生しているタイマ回路を検出することができる。
本発明にかかわる第２のタイマ回路の障害監視装置は、上述したタイマ回路の障害監視装置において、起動テーブルに起動グループテーブルを備え、抽出手段に複写手段と複写制御手段とを備え、検出手段に参照制御手段を備えて構成される。
【００１３】
本発明にかかわる第２のタイマ回路の障害監視装置の原理は、以下の通りである。
上述した第１のタイマ回路の障害監視装置に備えられる起動テーブルにおいて、起動グループテーブルは、タイマ回路に設定される時間の長さの範囲について適切に設けた複数の区分に対応して形成され、起動の際にタイマ回路に設定された時間が対応する区分に属するタイマ回路についてタイマＩＤを保持する。チェックテーブルにおいて、グループチェックテーブルは、複数の区分にそれぞれ対応する。抽出手段において、複写手段は、起動テーブルに備えられた複数の起動グループテーブルのいずれかを指定した複写指示に応じて、指定された起動グループテーブルに保持されているタイマＩＤを対応するグループチェックテーブルに複写する。複写制御手段は、複数の区分それぞれに対応する時間間隔で、各起動グループテーブルを指定する複写指示を生成して複写手段に入力する。検出手段において、参照制御手段は、複数の起動グループテーブルそれぞれに対する参照を、対応する区分に応じて適切な時間間隔に制御する。
【００１４】
このように構成された第２のタイマ回路の障害監視装置の動作は、下記の通りである。
外部タイマユニットのタイマ回路に設定される時間を、例えば、１０秒以内、１０秒以上６０秒以内、６０秒以上１０分以内、１０分以上のように複数のグループに区分し、これらのグループごとに設けられた起動グループテーブルに、起動されたタイマ回路のタイマＩＤを保持する。これらの起動グループテーブルに保持されたタイマＩＤは、複写制御手段からの指示に応じて、それぞれの区分に対応する時間間隔で対応するグループチェックテーブルに複写手段によって複写される。これらのグループチェックテーブルに対する参照間隔は、検出手段に備えられた参照制御手段により、それぞれが対応する区分に従って制御される。したがって、検出手段によって、上述した区分に対応する時間に渡ってその区分に対応するグループチェックテーブルに残されているタイマＩＤで示されるタイマ回路が、障害が発生しているタイマ回路として検出される。
【００１５】
また、上述した第１のタイマ回路の障害監視装置に備えられる検出手段に、チェックテーブルに対する定期的な参照で得られたタイマＩＤを含む障害情報を出力する障害情報出力手段を備えて構成することもできる。
このようなタイマ回路の障害監視装置では、検出手段に備えられた障害情報出力手段により、外部タイマユニットについて検出された障害に関して、具体的なタイマ回路を特定するタイマＩＤを含む詳細な情報が出力され、保守作業などに供される。
【００１６】
また、本発明にかかわる計時タイマの故障検出装置は、所定時間を周期とした時間の経過を順次検出可能な基準タイマと、該所定時間内の時間の経過を異なるタイミングから計時可能な複数の計時タイマと、前記複数の計時タイマのうち、計時を開始した計時タイマを特定可能な情報を記憶する記憶部と、該記憶後、前記基準タイマにより２回目の前記検出が行われる前に、該計時を開始した計時タイマがタイムアウトしないことを検出する検出部とを備えたことを特徴とする。
【００１７】
このように構成された計時タイマの故障検出装置では、計時を開始している計時タイマを特定可能な情報が記憶部に記憶され、検出部により、例えば、基準タイマによって１周期の経過が検出されるごとにこの記憶部が参照されて、同一の計時タイマを示す情報が記憶部に２度の参照に渡って記憶されている場合に、このタイマ回路の故障が検出される。
【発明の効果】
【００１８】
本発明にかかわるタイマ回路の障害監視装置あるいは計時タイマの故障検出装置によれば、外部タイマユニットに備えられた膨大なタイマ回路(計時タイマ)のいずれかに障害が発生した場合に、この障害を確実に検出して保守作業などを円滑に進行させることができる。
特に、タイマ回路への設定時間に関する区分ごとにグループ分けしてタイマ回路の管理を行うことにより、障害が発生したタイマ回路に設定された時間の長さにかかわらず、確実かつ迅速に障害を検出することができる。
【００１９】
更に、障害を検出した旨の通知に加えて、障害が発生したタイマ回路を具体的に特定する情報を出力することにより、障害発生過程の解析や再発防止対策の策定作業を支援することができる。
【発明を実施するための最良の形態】
【００２０】
以下、図面に基づいて、本発明の実施形態について詳細に説明する。
図１に、本発明にかかわるタイマ回路の障害監視装置の実施形態を示す。
図１に示したタイマ回路の障害監視装置２１０は、基地局管理装置などの通信制御装置と外部タイマユニット４１０との間でやり取りされるタイマ捕捉要求、タイマＩＤ通知およびタイムアウト通知を監視する。
【００２１】
図１に示したタイマ回路の障害監視装置２１０において、グループタイマ２１１は、Ｍ個の異なる周期(Ｔ１、Ｔ２、〜ＴＭ)で内部タイマ通知１〜Ｍを生成する。これらの内部タイマ通知周期Ｔ１、Ｔ２、〜ＴＭは、外部タイマユニット４１０に設定される時間を長さに基づいてＭ個のグループに分類する際に、それぞれのグループに属する設定時間を振り分ける閾値とすることができる。例えば、設定時間１０秒以下のグループ、設定時間が１０秒以上１分以内のグループ、設定時間が１分以上１０分以内のグループおよび設定時間が１０分以上のグループに分類する場合には、グループタイマ２１１は、周期１０秒、周期１分、周期１０分および周期６０分の４つの内部タイマ通知１〜４を生成する。
【００２２】
上述した設定時間に関する各グループに対応して、起動テーブル２１２１〜２１２Ｍおよびチェックテーブル２１３１〜２１３Ｍが設けられている。これらの起動テーブル２１２１〜２１２Ｍおよびチェックテーブル２１３１〜２１３Ｍのそれぞれは、例えば、外部タイマユニット４１０に備えられたｎ個のタイマ回路４１２(図４参照)それぞれに対応するビットマップから形成されている。
【００２３】
また、図１に示した登録処理部２１４は、通信制御装置から外部タイマユニット４１０に渡されるタイマ捕捉要求と外部タイマユニット４１０から返されるタイマＩＤ通知とに基づいて、設定時間に対応する起動テーブル２１２のタイマＩＤに対応するビットを選択的に論理「１」にセットして、起動されたタイマが動作中である旨を登録する。
一方、図１に示した消去処理部２１５は、外部タイマユニット４１０から通信制御装置に渡されるタイムアウト通知に応じて、全ての起動テーブル２１２および全てのチェックテーブル２１３の上述したタイムアウト通知にかかわるタイマＩＤに対応するビットをクリアして、該当するタイマが正常に計時動作を完了したことを示す。
【００２４】
また、図１に示したタイマ回路の障害監視装置２１０において、複写処理部２１６は、上述したグループタイマ２１１から通知される内部タイマ通知１〜Ｍに応じて、通知された内部タイマ通知ｉに対応する起動テーブル２１２ｉを参照し、論理「１」がセットされているタイマＩＤについて、チェックテーブル２１３ｉにビット値を複写する。
一方、図１に示した障害検出部２１７は、上述した内部タイマ通知１〜Ｍに応じて、通知された内部タイマ通知ｉに対応するチェックテーブル２１３ｉを参照し、論理「１」がセットされているタイマＩＤを検出したときに、このタイマＩＤを含む障害情報を作成し、通信制御装置などの上位装置に外部タイマユニット４１０における障害の発生を通知する。
【００２５】
以下、図１に示したタイマ回路の障害監視装置の動作について、詳細に説明する。
図２に、障害監視動作を表す流れ図を示す。また、図３に、障害監視動作を説明するシーケンス図を示す。
タイマ回路の障害監視装置２１０が動作を開始する際には、まず、図１に示したグループタイマ２１１が起動され(ステップ３０１)、以降は、このグループタイマ２１１により、上述した内部タイマ通知１〜Ｍが、それぞれ周期Ｔ１、Ｔ２、〜ＴＭで生成され、複写処理部２１６および障害検出部２１７に通知される。
【００２６】
その後、図３に示すように、通信制御装置から外部タイマユニット４１０にタイマ捕捉要求が渡され、これに応じて、外部タイマユニット４１０によって割り当てられたタイマ回路４１２を示すタイマＩＤが通信制御装置に返されたときに、図１に示した登録処理部２１４は、新規にタイマが捕捉されたと判断して(図２に示すステップ３０２の肯定判定)、起動テーブル２１２への登録処理を行う(ステップ３０３)。
【００２７】
このとき、登録処理部２１４により、タイマ捕捉要求で示された設定時間が属するグループｊに対応する起動テーブル２１２ｊのタイマＩＤに対応するアドレスのビット値が、選択的に論理「１」にセットされる。
その後、グループタイマ２１１からいずれかの内部タイマ通知ｉが通知されたときに(ステップ３０４の肯定判定)、図１に示した障害検出部２１７により、通知された内部タイマ通知ｉに対応するチェックテーブル２１３ｉが参照され(ステップ３０５)、このチェックテーブル２１３ｉに論理「１」がセットされたビットが残っているか否かが判定される(ステップ３０６)。
【００２８】
ステップ３０６の否定判定の場合に、図１に示した複写処理部２１６により、上述した内部タイマ通知ｉに対応する起動テーブル２１２ｉのビットマップがチェックテーブル２１３ｉに複写され(図２のステップ３０７)、その後、ステップ３０２に戻って監視動作が続行される。
このように、起動テーブル２１２ｉに登録された情報は、図３に示すように、最初の内部タイマ通知ｉに応じてチェックテーブル２１３ｉに複写される。つまり、グループタイマ２１１からの内部タイマ通知に応じて、複写処理部２１６が起動テーブル２１２からチェックテーブル２１３への複写処理を行うことにより、課題を解決するための手段において述べた抽出手段の機能が果たされている。このとき、複写手段に相当する複写処理部２１６が、グループタイマ２１１から通知される内部タイマ通知１〜ｉに応じて、対応する起動テーブル２１２ｉからチェックテーブル２１３ｉへの複写を行うことにより、複写制御手段の機能が果たされている。
【００２９】
その後、図３に破線で示したように、次の内部タイマ通知以前に、設定時間の経過に伴ってタイムアウト通知が外部タイマユニット４１０から通信制御装置に返された場合に(図２のステップ３０８)、図１に示した消去処理部２１５により、このタイムアウト通知で示されたタイマＩＤｋに対応するビット値が全ての起動テーブル２１２１〜２１２Ｍおよび全てのチェックテーブル２１３１〜２１３Ｍにおいてクリアされ、該当するタイマＩＤが削除された旨が示される(ステップ３０９)。
【００３０】
一方、設定時間が経過したにもかかわらず、外部タイマユニット４１０からのタイムアウト通知が返されない場合は、このタイマＩＤｋに対応するチェックテーブル２１３ｉにおけるビット値は論理「１」のまま残される。この場合に、図３に示した２回目の内部タイマ通知に応じて、検出手段に相当する障害検出部２１７によるチェックテーブル２１３の参照が行われた際に(図２のステップ３０５)、このタイマＩＤｋに対応するビット値が検出される(ステップ３０６の肯定判定)。
【００３１】
このとき、障害検出部２１７により、このタイマＩＤｋに対応するビット値のように論理「１」のままチェックテーブル２１３ｉに残されたビット値に対応する全てのタイマＩＤを含む障害情報が作成され、通信制御装置あるいはこの通信制御装置を管理している上位装置に通知される(図２のステップ３１０および図３参照)。
このように、各グループに対応する起動テーブル２１２およびチェックテーブル２１３について、障害検出部２１７が、そのグループに対応する内部タイマ通知周期ごとに上述した処理を行うことにより、課題を解決するための手段において述べた参照制御手段の機能が果たされる。これにより、各タイマ回路４１２に設定された時間にかかわらず、これらのタイマ回路４１２において発生した障害を確実にしかも迅速に検出することができる。
【００３２】
また、例えば、登録されたタイマＩＤの全てについて障害が検出された場合には、多数のタイマ回路に一度に障害が発生した可能性よりも、むしろ、タイムアウト通知を通信制御装置に返す信号線に障害が発生した可能性が高いと考えられるので、このような情報を含めて障害情報を作成することも有効である。
このようにして検出された外部タイマユニットの障害に関する障害情報により、通信制御装置において発生した障害の原因を特定することができるので、外部タイマユニットを交換するなどの適切な保守作業を迅速に行うことが可能となり、障害によって運用が停止される期間を短縮して、利用者に対するサービス性を向上することができる。
【００３３】
更に、上述した障害情報に基づいて、障害が発生したタイマ回路を特定することができるので、例えば、上位装置側から外部タイマユニットに対して、障害情報で示されたタイマＩＤで示されるタイマ回路についての割り当て禁止を指示することにより、システムの運用継続を図ることも可能である。
なお、図１に示したタイマ回路の障害監視装置２１０を通信制御装置の内部に配置し、更に、通信制御装置に備えられたＣＰＵ４０２によって提供されるソフトタイマを用いて、グループタイマ２１１を実現することも可能である。
【００３４】
また、上述したようにして、起動テーブル２１２ｉにおいて起動されたことが示されたタイマＩＤをグループタイマ２１１からの最初の内部タイマ通知ｉに応じてチェックテーブル２１３ｉに複写し、次の内部タイマ通知ｉに応じて、障害検出部２１７がチェックテーブル２１３ｉを参照した際に残されているタイマＩＤを検出することにより、２回目の内部タイマ通知前に、このタイマＩＤで示されるタイマ回路４１２がタイムアウトしないことを検出することができる。
【００３５】
つまり、計時タイマの故障検出装置の構成要素である記憶部に相当する起動テーブル２１２１〜２１２Ｍに保持されている情報に基づいて、チェックテーブル２１３１〜２１３Ｍ、複写処理部２１６および障害検出部２１７によって実現される検出部により、同一のタイマ回路(計時タイマ)を示す情報が、基準タイマに相当するグループタイマ２１１からの内部タイマ通知に応じて行われる記憶部への２度の参照に渡って記憶されていることが検出されている。すなわち、図１に示した構成により、計時タイマの故障検出装置が実現されている。
【産業上の利用可能性】
【００３６】
以上に説明したように、本発明にかかわるタイマ回路の障害監視装置によれば、外部タイマユニットに備えられた複数のタイマ回路に関する障害を漏れなく検出することができるので、基地局制御装置を含む通信制御装置のように、外部タイマユニットによって提供される多数のタイマ回路による時間管理が必須な情報処理装置の保守管理分野において極めて有用である。
【図面の簡単な説明】
【００３７】
【図１】本発明にかかわるタイマ回路の障害監視装置の実施形態を示す図である。
【図２】外部タイマ監視動作を表す流れ図である。
【図３】外部タイマ監視動作を説明するシーケンス図である。
【図４】従来の外部タイマユニットの構成例を示す図である。
【符号の説明】
【００３８】
２１０  タイマ回路の障害監視装置
２１１  グループタイマ
２１２１〜２１２Ｍ  起動テーブル
２１３１〜２１３Ｍ  チェックテーブル
２１４  登録処理部
２１５  消去処理部
２１６  複写処理部
２１７  障害検出部
４１０  外部タイマユニット
４１１  基準クロック生成部
４１２１〜４１２ｎ  タイマ回路
４１３  タイマ管理部
４０２  ＣＰＵ
【図１】
2008191803.tif 000003
【図２】
2008191803.tif 000004
【図３】
2008191803.tif 000005
【図４】
2008191803.tif 000006